(57)【要約】【課題】外観の見栄えを損なうことなく、タイヤ等の嵩張る荷物も容易に収納することが可能なデッキを提供する。【解決手段】  建物２の壁面から屋外へ所定高さで張り出して設置されるデッキフロア４を具備するデッキにおいて、前記デッキフロア４から前記地面Ｚに通じるように形成された切欠部１３に収納空間Ｙを有する収納部６を備え、前記収納部６は、前記デッキフロア４より高い位置に形成され、前記収納空間Ｙの上方を開閉自在とする天井板１４と、該天井板１４を支える支持部材１５と、当該収納部６の外周面を形成する側面部材７とを有し、前記収納部６の外周面には、当該デッキの外部から前記収納空間Ｙに通じる開口部１９が設けられているデッキ１。【選択図】図１
2010095946.tif 000002
【特許請求の範囲】
【請求項１】
建物の壁面から屋外へ所定高さで張り出して設置されるデッキフロアを具備するデッキにおいて、
前記デッキフロアから前記地面に通じるように形成された切欠部に収納空間を有する収納部を備え、前記収納部は、前記デッキフロアより高い位置に形成され、前記収納空間の上方を開閉自在とする天井板と、該天井板を支える支持部材と、当該収納部の外周面を形成する側面部材とを有し、前記収納部の外周面には、当該デッキの外部から前記収納空間に通じる開口部が設けられていることを特徴とするデッキ。
【請求項２】
前記天井板は、前記収納空間の上方に複数設けられていることを特徴とする請求項１に記載のデッキ。
【請求項３】
前記開口部には、開閉自在な扉が設けられていることを特徴とする請求項１又は２に記載のデッキ。
【請求項４】
前記収納部は、駐車スペースに隣接して設けられると共に、前記開口部は、前記駐車スペースから前記収納空間に通じることを特徴とする請求項１乃至３のいずれかに記載のデッキ。
【発明の詳細な説明】
【技術分野】
【０００１】
本発明は、住宅の庭等に設置される収納部を備えたデッキに関する。
【背景技術】
【０００２】
従来から、庭付きの住宅等においては、建物から屋外に張り出すようにウッドデッキを設けることが行われている。通常、このようなウッドデッキは、水はけや風通し等を考慮して、地面から浮かした状態で設けられている。
【０００３】
また、このウッドデッキの下側にできる空間を有効に活用するために、肥料やスコップ等の園芸用品等を収納するための収納箱をウッドデッキの下側空間に設けたものがある（例えば、特許文献１参照）。
【０００４】
また、近年、休日等に車を利用して、スノーボードやキャンプ等のアウトドアライフを楽しむ家族が多く見受けられる。これらの家庭では、シーズン外には、冬用タイヤやキャンプ用品等を収納しておく必要があるが、タイヤ等を室内に持ち込むと室内が汚れてしまうため、好ましくない。また、タイヤやキャンプ用品は、嵩張るため、室内まで持ち運ぶのには、大変な労力を要することになる。そのため、庭付きの住宅等では、庭に物置等を設置して、その中にタイヤやキャンプ用品等を収納しておく場合がある。
【特許文献１】特開平１１−１３２５９号公報
【発明の開示】
【発明が解決しようとする課題】
【０００５】
しかしながら、庭面積が狭い住宅等では庭に物置等を設置した場合、庭のスペースが更に狭くなってしまう。また、庭の外観の見栄えを良くするためには、大きな物置等は設置せずに、嵩張る物を収納できる空間を確保することが好ましい。
【０００６】
そのため、ウッドデッキが設けられている住宅等の場合には、ウッドデッキの下側の空間を利用して、それらの物を収納できれば良いが、ウッドデッキの床面の高さは、隣接する建物からウッドデッキに通じる掃き出し窓に合わせて設定されることが多いため、特許文献１のようにウッドデッキの下側に設けられた収納空間だけでは、タイヤ等のように嵩張る物を収納することは難しいという問題がある。
【０００７】
本発明は上記のような種々の課題を解決することを目的としてなされたものであって、外観の見栄えを損なうことなく、タイヤ等の嵩張る荷物も容易に収納することが可能なデッキを提供することを目的とする。
【課題を解決するための手段】
【０００８】
上記目的を達成するために、請求項１に記載のデッキでは、建物の壁面から屋外へ所定高さで張り出して設置されるデッキフロアを具備するデッキにおいて、前記デッキフロアから前記地面に通じるように形成された切欠部に収納空間を有する収納部を備え、前記収納部は、前記デッキフロアより高い位置に形成され、前記収納空間の上方を開閉自在とする天井板と、該天井板を支える支持部材と、当該収納部の外周面を形成する側面部材とを有し、前記収納部の外周面には、当該デッキの外部から前記収納空間に通じる開口部が設けられていることを特徴としている。
【０００９】
請求項２に記載のデッキでは、請求項１に記載のデッキにおいて、前記天井板は、前記収納空間の上方に複数設けられていることを特徴としている。
【００１０】
請求項３に記載のデッキでは、請求項１又は２に記載のデッキにおいて、前記開口部には、開閉自在な扉が設けられていることを特徴としている。
【００１１】
請求項４に記載のデッキでは、請求項１乃至３に記載のいずれかのデッキにおいて、前記収納部は、駐車スペースに隣接して設けられると共に、前記開口部は、前記駐車スペースから前記収納空間に通じることを特徴としている。
【発明の効果】
【００１２】
請求項１に記載のデッキによれば、デッキフロアより高い位置に天井板が形成された収納部を備えており、該収納部の外周面にはデッキの外部から収納部の内部の収納空間へ通じる開口部が設けられているので、嵩の高い荷物、例えば、タイヤ等でも転がしたまま、開口部から収納部に収納することが可能である。また、収納部の上方は天井板によって開閉自在であるので、天井板を開けて、その上から荷物を収納したり、開口部から収納した荷物を奥に寄せたりすることも可能である。また、荷物を取り出す際にも天井板を開けることにより、上からどこに目的の荷物が収納されているか確認することができるので、収納部の奥の方に寄せられた荷物も容易に見つけ出して取り出すことが可能である。
【００１３】
請求項２に記載のデッキによれば、天井板は、複数設けられているので、奥に収納されている荷物を取り出したい場合等は、奥にある天井板のみを開けて、その荷物を取り出すことができるので、手前から順に荷物を取り出していく必要がなく、目的の荷物を容易に取り出すことができる。
【００１４】
請求項３に記載のデッキによれば、開口部に開閉自在な扉が設けられているので、開口部を扉で閉じている状態の時は、外部から収納部に収納されている荷物が見えないので、外観を損なうことなく荷物を収納しておくことができる。また、扉に鍵を設けておけば、盗難等を防止するためのセキュリティを強化することができる。
【００１５】
請求項４に記載のデッキによれば、収納部が駐車スペースに隣接し、収納部の側面の開口部が駐車スペースに通じるように設けられているので、車から降ろした荷物を容易に開口部から収納部に収納することができる。また、タイヤの交換の際は、駐車スペースから開口部にタイヤをそのまま転がして収納することが可能であるので、タイヤを持ち運ぶ労力が軽減される。
【発明を実施するための最良の形態】
【００１６】
以下に本発明における最良の実施の形態について図面に基づいて説明する。本発明の一実施形態に係るデッキ１は、図１，２に示すように、住宅の庭に設置されるものであり、隣接する建物２の壁面から屋外に張り出すように設けられている。また、デッキ１は、車が駐車するための駐車スペースＸにも隣接している。
【００１７】
デッキ１は、複数のデッキ材３が水平に敷設されて形成されているデッキフロア４と、デッキフロア４の床面へ上がるための階段５と、内部に後述する収納空間Ｙを有するベンチ（収納部）６と、デッキフロア４及びベンチ６の外周を囲むフェンス７とを備えている。
【００１８】
また、図２に示すように、デッキフロア４の床面の上方を覆うことができる開閉自在のオーニング８が、建物２に設けられた掃き出し窓９の上方の壁面に取付けられている。これにより、雨の日には、オーニング８を開くことにより、デッキフロア４に雨が直接入ってくるのを軽減することができ、また日光が強い日には、直接日光が当たるのを遮断することができる。
【００１９】
デッキフロア４は、例えば、図３に示すように、束石１０に固定された所定の高さを有する支柱１１に根太材１２を寝かせて、その上に複数のデッキ材３が水平に敷設されて形成される。そのため、デッキフロア４は、地面Ｚから所定間隔開いた状態で設けられることになる。通常、地面Ｚからデッキフロア４までの高さは、隣接する建物２の掃き出し窓９に合わせて設定される。尚、デッキフロア４の形成の仕方は、上記に限定されるものではなく、他の公知の技術を適用することも当然可能である。
【００２０】
また、デッキフロア４の建物２に隣接する反対側の端部には、その全体に渡って、内部に収納空間Ｙを有するベンチ６が設けられている。このベンチ６は、図４，５に示すように、デッキフロア４から地面Ｚに通じるようにデッキフロア４を形成する複数のデッキ材３の端部を切欠いて形成されている切欠部１３に設けられている。
【００２１】
ベンチ６は、開閉自在な天井板１４と、この天井板１４を支える支持部材１５ａ、１５ｂとを備えている。天井板１４は、デッキフロア４の床面よりも高い位置に収納空間Ｙの上方を覆うように複数設けられている。また、図１，４に示すように、各天井板１４の両端には、手が挿入できる程度の大きさの間隙１６が形成されている。天井板１４を開く場合には、この間隙１６に手を挿入して、天井板１４を掴んで、持ち上げることにより天井板１４を開くことができる。尚、この間隙１６の代わりに天井板１４の上面に取っ手等を設けても良い。
【００２２】
天井板１４を支持する一方の支持部材１５ａは、切欠部１３が形成されているデッキフロア４の端部からデッキフロア４に対して略直角に設けられ、上端には天井板１４の端部を支える支持面１７ａが形成されている。また、他方の支持部材１５ｂは、一端がフェンス７の内側に固定されて設けられ、他端には、支持部材１５ａと同様に天井板１４の端部を支持するための支持面１７ｂが形成されている。
【００２３】
図４に示すように、ベンチ６は、天井板１４を開くことにより、ベンチ６の上から荷物Ａを収納したり取り出したりすることが可能な構成になっている。天井板１４が閉じられた状態においては、この天井板１４の上面が、ベンチ６の座面として機能することになる。尚、本実施形態では、天井板１４が、完全に取外し可能な例を示しているが、図６に示すように、天井板１４の支持部材１５ｂに支持されている側の端部と支持部材１５ｂを蝶番１８で連結し、天井板１４が支持部材１５ｂに支持されている側の端部から回転して開くことができる構成を採ることも可能である。天井板１４を開いた場合には、天井板１４をフェンス７にもたれさせておくことにより、開放状態を維持することができる。また、このような構成を採る場合には、天井板１４を開放し易くするために、間隙１６を天井板１４の支持部材１５ａに支持されている側の端部に形成しておくと良い。また、天井板１４が突風等により倒れてこないように間隙１６に引掛けて天井板１４を開放状態で支持するようなフック等の止め具（不図示）をフェンス７に設けておくことが好ましい。
【００２４】
地面Ｚから天井板１４の間には、収納空間Ｙが設けられており、この収納空間Ｙの高さは、タイヤＡを縦に収納できる程度の高さを有している。つまり、地面Ｚから天井板１４までの高さは、タイヤＡを縦にした高さよりも高くなるように形成されている。収納空間Ｙの下部は、吸収性を有する庭の地面Ｚであるので、雨水等が収納空間Ｙに侵入した場合でも地面Ｚにより吸収され、雨水等が収納空間Ｙに溜まった状態になるのを防ぐことができる。
【００２５】
また、図１，４に示すように、駐車スペースＸに隣接する側のベンチ６の外周面には、駐車スペースＸから収納空間Ｙに通じる開口部１９が設けられている。この開口部１９には、開閉自在な扉２０が備えられている。荷物Ａの出し入れを行う時以外は、通常、扉２０は閉められた状態になっており、収納空間Ｙに収納されている荷物Ａ等は外部からは、見えないようになっているので、デッキ１の外観を損なうことなく、荷物Ａを収納しておくことができる。また、扉２０に鍵を設けておけば、盗難等の危険性を軽減することができる。尚、本実施形態では、開口部１９に扉２０を設けた例を示しているが、扉２０の代わりに引き戸等を設けることも当然可能である。
【００２６】
フェンス７は、図１，２に示すように、デッキフロア４及びベンチ６の外周を囲むように設けられており、複数の板材２１を組み合わせて形成されたものである。隣り合う各板材２１は、少しの隙間を開けて設けられており、デッキフロア４への風通しを良くしている。また、図５に示すように、ベンチ６の周囲を囲むフェンス７の天井板１４より上の部分は、ベンチ６の背もたれとしても機能することができ、天井板１４より下の部分は、ベンチ６の外周面を形成する側面部材として機能しており、収納空間Ｙの外周を囲むように形成されている。
【００２７】
また、図７，８に示すように、フェンス７の柱部材２２には、所定の角度まで倒すことが可能な物干し金具２３が取付けられている。この物干し金具２３は、洗濯物２４を干していない状態の場合は、図７に示すように、フェンス７に近接した状態に保持しておくことができる。また、洗濯物２４を干す場合には、図８のように物干し金具２３を前方に倒した状態で保持することができるので、デッキフロア４からでは、直接物干し金具２３までは背の届かない子どもでもベンチ６の天井板１４の上に上って洗濯干しのお手伝い等をすることができる。
【００２８】
次に、本発明の収納部であるベンチ６の内部の収納空間ＹへタイヤＡ等の荷物を収納する仕方について説明する。タイヤＡ等の嵩張る荷物を収納する場合には、できる限り収納部まで荷物を持ち運ぶ労力を軽減することが望まれる。本実施形態に係るデッキ１は、図１に示すように駐車スペースＸに隣接して設けられており、駐車スペースＸに隣接する側のベンチ６の側面に駐車スペースＸから収納空間Ｙへ通じる開口部１９が設けられている。また、地面Ｚから天井板１４の間に設けられる収納空間Ｙの高さは、タイヤＡを縦に収納可能な高さを有している。従って、扉２０を開放し、駐車スペースＸからタイヤＡを転がしたまま開口部１９を通じて収納空間Ｙへと収納することができるので、タイヤＡを持ち運ぶ労力を軽減することができる。
【００２９】
また、収納されたタイヤＡを収納空間Ｙの奥へ寄せる場合には、図４に示すように、デッキフロア４に上がって、天井板１４を取外して、ベンチ６の上からタイヤＡを収納空間Ｙの奥へと寄せることができる。また、図７に示すように天井板１４を取外して、ベンチ６の上から収納空間Ｙへと荷物Ａを収納することもできる。従って、比較的持ち運びが容易な荷物等は、天井板１４を取外して収納すれば良い。デッキ１は、図８に示すように、フェンス７の柱部材２２に物干し金具２３が取り付けられているように、洗濯物を干すための空間としても利用できるので、ベンチ６の収納空間Ｙにハンガー等の洗濯に必要な小物類を収納しておけば、洗濯物を干している際に、必要があれば、すぐに取り出すことができるので、便利である。尚、雨等によって中身が濡れることが好ましくない荷物については、ビニールシート等に覆って収納しておくことが好ましい。
【００３０】
また、荷物Ａを取り出す際も、天井板１４を取外すことにより、ベンチ６の上から目的の荷物Ａがどの位置に収納されているか探すことができるので、収納空間Ｙの奥側に収納された荷物Ａであっても容易に見つけ出して取り出すことができる。また、開口部２０側に収納されている荷物Ａであれば、そのまま開口部２０から取り出すことができる。
【００３１】
本実施形態では、図５に示すように収納空間Ｙとデッキフロア４の下側の空間に仕切りが設けられていない例について説明したが、図９に示すように、収納空間Ｙとデッキフロア４の下側の空間の間に仕切り板２５を設けても良い。このような仕切り板２５を設けた場合には、地面Ｚからデッキフロア４の下面までの高さよりも低い荷物が誤って、収納空間Ｙからデッキフロア４の下側の空間へと入り込むことを防止することができる。
【００３２】
また、本実施形態では、地面Ｚの上に直接荷物Ａを置いた例について示しているが、地面Ｚの上に水はけ機能を備えるスノコ等の底板材２６を敷いて、その上に荷物Ａを置くような構成を採ることも可能である。この場合には、荷物Ａの下面は直接、地面Ｚに接触しないので、庭の芝や土等で荷物Ａの下面が汚れるのを防止することができる。また、底板材２６は、水はけ機能を有しているので、収納空間Ｙに侵入してきた雨水等も床板材２６の上に溜まることなく、地面Ｚへと流れて吸収される。
【００３３】
また、本実施形態では、図５に示すように、フェンス７の天井板１４より下側の部分が収納部（ベンチ）６の外周面を形成している例を示しているが、収納部（ベンチ）６の外周面とフェンス７を別々に形成しても良い。また、図１０に示すようにフェンス７を取り除き、代わりにベンチ６の外周を植木Ｂ等で囲むように構成することも可能である。また、ベンチ６は、建物２に隣接する反対側の端部の全体に渡って設けられている例を示しているが、ベンチ６が設けられる位置は、これに限定されるものではなく、ベンチ６を建物２に対して略直角に交わる方向に設けることも可能である。
【図面の簡単な説明】
【００３４】
【図１】本発明の実施形態に係るデッキの一例を示す概略平面図である。
【図２】本発明の実施形態に係るデッキの外観を示す概略斜視図である。
【図３】デッキフロアの形成の仕方の一例を示す概略説明図である。
【図４】本発明の実施形態に係るデッキのベンチ（収納部）を示す要部拡大斜視図である。
【図５】本発明の実施形態に係るデッキのベンチ（収納部）の一例を示す拡大断面図である。
【図６】ベンチ（収納部）の他の例を示す拡大断面図である。
【図７】本発明の実施形態に係るデッキのベンチ（収納部）を示す要部拡大斜視図である。
【図８】物干し金具使用時のデッキを示す要部拡大斜視図である。
【図９】ベンチ（収納部）の更に他の例を示す拡大断面図である。
【図１０】本発明の実施形態に係るデッキの他の例を示す概略平面図である。
【符号の説明】
【００３５】
１                  デッキ
２                  建物
４                  デッキフロア
６                  ベンチ（収納部）
１３                切欠部
１４                天井板
１５ａ、１５ｂ      支持部材
１９                開口部
２０                扉
Ｘ                  駐車スペース
Ｙ                  収納空間
Ｚ                  地面
【図１】
2010095946.tif 000003
【図２】
2010095946.tif 000004
【図３】
2010095946.tif 000005
【図４】
2010095946.tif 000006
【図５】
2010095946.tif 000007
【図６】
2010095946.tif 000008
【図７】
2010095946.tif 000009
【図８】
2010095946.tif 000010
【図９】
2010095946.tif 000011
【図１０】
2010095946.tif 000012